(57)【特許請求の範囲】
【請求項１】
多数の灯火を駆動制御する灯火システムにおいて、
多数の灯火が直列接続されてなる負荷回路と、
この負荷回路に対して所望の輝度に応じた交流定電流からなる負荷電流を供給する定電流電源装置と、
この定電流電源装置に対して電源供給する交流電源とからなり、
前記定電流電源装置は、
前記交流電源からの交流入力を用いて任意の波高値を有する電流パルスをその交流入力の半周期の期間で複数出力するスイッチング回路と、所望の輝度値に応じた交流定電流を生成するのに必要な波高値の電流パルスを前記交流入力の各位相位置ごとに出力するよう前記スイッチング回路を制御する定電流制御回路と、前記スイッチング回路と前記負荷回路との間に設けられ前記交流入力と略同一の共振周波数を有する共振回路とを備え、
前記スイッチング回路は、基本波高値分の電流パルスを出力する基本波形スイッチング部と、この基本波形スイッチング部からの電流パルスと同期して差分波高値分の電流パルスを出力する差分波形スイッチ部とを有し、これら各電流パルスを合成することにより任意の波高値の電流パルスを出力し、
前記定電流制御回路は、所望の輝度値に応じて前記位相位置ごとに電流パルスの設定波高値を出力する設定波高値発生部と、前記基本波形スイッチング部から合成して出力された電流パルスの波高値を次の電流パルスの基本波高値として記憶する記憶部と、これら設定波高値と基本波高値とを比較して差分波高値を得る比較部と、前記記憶部からの基本波高値に基づき前記基本波形スイッチング部を駆動して各位相位置ごとに前記基本波高値を有する電流パルスを出力させるとともに、前記比較部からの差分波高値に基づき前記差分波形スイッチング部を駆動して各位相位置ごとに前記差分波高値を有する電流パルスを出力させる駆動部とを有する
ことを特徴とする灯火システム。
【請求項２】
多数の灯火が直列接続されてなる負荷回路に対して、交流電源から供給される交流入力を用いて、前記灯火の輝度に応じた交流定電流からなる負荷電流を供給する定電流電源装置において、
前記交流電源からの交流入力を用いて任意の波高値を有する電流パルスをその交流入力の半周期の期間で複数出力するスイッチング回路と、
所望の輝度値に応じた交流定電流を生成するのに必要な波高値の電流パルスを前記交流入力の各位相位置ごとに出力するよう前記スイッチング回路を制御する定電流制御回路と、
前記スイッチング回路と前記負荷回路との間に設けられ前記交流入力と略同一の共振周波数を有する共振回路とを備え、
前記スイッチング回路は、基本波高値分の電流パルスを出力する基本波形スイッチング部と、この基本波形スイッチング部からの電流パルスと同期して差分波高値分の電流パルスを出力する差分波形スイッチ部とを有し、これら各電流パルスを合成することにより任意の波高値の電流パルスを出力し、
前記定電流制御回路は、所望の輝度値に応じて前記位相位置ごとに電流パルスの設定波高値を出力する設定波高値発生部と、前記基本波形スイッチング部から合成して出力された電流パルスの波高値を次の電流パルスの基本波高値として記憶する記憶部と、これら設定波高値と基本波高値とを比較して差分波高値を得る比較部と、前記記憶部からの基本波高値に基づき前記基本波形スイッチング部を駆動して各位相位置ごとに前記基本波高値を有する電流パルスを出力させるとともに、前記比較部からの差分波高値に基づき前記差分波形スイッチング部を駆動して各位相位置ごとに前記差分波高値を有する電流パルスを出力させる駆動部とを有する
ことを特徴とする定電流電源装置。
【発明の詳細な説明】
【０００１】
【発明の属する技術分野】
本発明は、灯火システムおよび定電流電源装置に関し、特に多数の灯火を駆動制御する灯火システムおよび定電流電源装置に関するものである。
【０００２】
【従来の技術】
一般に、飛行場では、天候不順による視界不良時でも航空機を安全に運行させ誘導するために、各種の灯火システムが設置されている。例えば、滑走路には、着陸機に対して最終進入経路を表示するための進入灯火、滑走路の末端を表示するための滑走路末端灯、さらには滑走路の輪郭を表示するための滑走路灯などが設置されている。また、誘導路には、誘導路の両側およびエプロンの輪郭を表示するための誘導路灯、誘導路の中心線や滑走路またはエプロンへの出入経路を表示するための誘導路中心線灯などが設置されている。さらに、飛行中の航空機に対して飛行場の位置を表示するための飛行場灯台もある。
【０００３】
このような灯火システムでは、昼間／夜間や気象状況に応じて灯火の視認性が変化するため、これら状況の変化に応じて灯火の輝度を調整する必要がある。例えば、天候が良好な昼間では灯火の視認性が低下することから、その輝度を高くする必要がある。また、夜間では灯火の視認性が良好であることから、その輝度を低くすることにより消費電力を削減できる。
したがって、灯火システムでは、多数の灯火を直列接続し、これら負荷に対して灯火の輝度に応じた電流を供給する定電流電源装置が用いることにより、灯火の輝度を調整している。
【０００４】
従来、この種の定電流電源装置として、力率の低下や波形歪みを抑制し、良好な電力変換効率を得ることを目的として、交流入力電圧に対してパルス幅変調（ＰＷＭ）制御することにより所望の負荷電流を出力するものが提案されている（例えば、特開平１１−１８４５４１号公報など参照）。
図６に従来の定電流電源装置の動作を示す。この定電流電源装置では、交流入力電圧を所定のパルス幅Ｗでチョッピングするパルス幅変調を行うことにより、そのパルス幅Ｗに応じた負荷電流を得ている。例えば、図６（ａ）に示すようにパルス幅Ｗを大きくすれば、変調後に得られる負荷電流ＩLは大きくなり、灯火において高い輝度が得られる。一方、図６（ｂ）に示すようにパルス幅Ｗを小さくすれば、変調後に得られる負荷電流ＩLは小さくなり、灯火の輝度を低下できる。
【０００５】
【発明が解決しようとする課題】
このような灯火システムでは、灯火における消費電力や灯火のメンテナンス性を考慮し、光源としてタングステン電球やハロゲン電球などのフィラメント電球ではなく、効率よく所望の発光色が得られ、かつ球切れがなく長寿命なＬＥＤやＨＩＤランプを光源として用いた灯火の導入が検討されている。
しかしながら、光源としてタングステン電球やハロゲン電球を用いた場合、電流に対する光源の輝度は比例関係ではなく、例えば負荷電流６．６Ａで輝度１００％とした場合、０．２％の輝度に調整するには２．８Ａの電流が必要であった。そのため、従来の定電流電源装置においては、微少な電流量の供給および調整が必要ではなかった。
【０００６】
これに対して、光源としてＬＥＤやＨＩＤランプ（高輝度放電灯）を用いた場合には、電流と光源の輝度は比例関係がある。例えばＬＥＤを光源とした場合、０．２％の輝度に調整するには０．０１Ａ程度の微少な電流となるため、微少な電流量の供給と調整が必要となる。
したがって、従来の定電流電源装置では、微少な電流量を精度よく調整することができず、また無効電力も多くなり効率が悪いという問題点があった。
本発明はこのような課題を解決するためのものであり、ＬＥＤやＨＩＤランプを光源とする灯火に対して良好な輝度調整を行うことができる灯火システムおよび定電流電源装置を提供することを目的としている。
【０００７】
【課題を解決するための手段】
このような目的を達成するために、本発明にかかる灯火システムは、多数の灯火が直列接続されてなる負荷回路と、この負荷回路に対して所望の輝度に応じた交流定電流からなる負荷電流を供給する定電流電源装置と、この定電流電源装置に対して電源供給する交流電源とからなり、定電流電源装置は、交流電源からの交流入力を用いて任意の波高値を有する電流パルスをその交流入力の半周期の期間で複数出力するスイッチング回路と、所望の輝度値に応じた交流定電流を生成するのに必要な波高値の電流パルスを交流入力の各位相位置ごとに出力するようスイッチング回路を制御する定電流制御回路と、スイッチング回路と負荷回路との間に設けられ交流入力と略同一の共振周波数を有する共振回路とを備えるものである。
【０００８】
これに加えて、スイッチング回路に、基本波高値分の電流パルスを出力する基本波形スイッチング部と、この基本波形スイッチング部からの電流パルスと同期して差分波高値分の電流パルスを出力する差分波形スイッチ部とを設けて、これら各電流パルスを合成することにより任意の波高値の電流パルスを出力し、定電流制御回路に、所望の輝度値に応じて位相位置ごとに電流パルスの設定波高値を出力する設定波高値発生部と、基本波形スイッチング部から合成して出力された電流パルスの波高値を次の電流パルスの基本波高値として記憶する記憶部と、これら設定波高値と基本波高値とを比較して差分波高値を得る比較部と、記憶部からの基本波高値に基づき基本波形スイッチング部を駆動して各位相位置ごとに基本波高値を有する電流パルスを出力させるとともに、比較部からの差分波高値に基づき差分波形スイッチング部を駆動して各位相位置ごとに差分波高値を有する電流パルスを出力させる駆動部とを設けたものである。
【０００９】
また、本発明にかかる定電流電源装置は、多数の灯火が直列接続されてなる負荷回路に対して、交流電源から供給される交流入力を用いて、灯火の輝度に応じた交流定電流からなる負荷電流を供給する定電流電源装置において、交流電源からの交流入力を用いて任意の波高値を有する電流パルスをその交流入力の半周期の期間で複数出力するスイッチング回路と、所望の輝度値に応じた交流定電流を生成するのに必要な波高値の電流パルスを交流入力の各位相位置ごとに出力するようスイッチング回路を制御する定電流制御回路と、スイッチング回路と負荷回路との間に設けられ交流入力と略同一の共振周波数を有する共振回路とを備えるものである。
【００１０】
これに加えて、スイッチング回路に、基本波高値分の電流パルスを出力する基本波形スイッチング部と、この基本波形スイッチング部からの電流パルスと同期して差分波高値分の電流パルスを出力する差分波形スイッチ部とを設けて、これら各電流パルスを合成することにより任意の波高値の電流パルスを出力し、定電流制御回路に、所望の輝度値に応じて位相位置ごとに電流パルスの設定波高値を出力する設定波高値発生部と、基本波形スイッチング部から合成して出力された電流パルスの波高値を次の電流パルスの基本波高値として記憶する記憶部と、これら設定波高値と基本波高値とを比較して差分波高値を得る比較部と、記憶部からの基本波高値に基づき基本波形スイッチング部を駆動して各位相位置ごとに基本波高値を有する電流パルスを出力させるとともに、比較部からの差分波高値に基づき差分波形スイッチング部を駆動して各位相位置ごとに差分波高値を有する電流パルスを出力させる駆動部とを設けたものである。
【００１１】
【発明の実施の形態】
次に、本発明の実施の形態について図面を参照して説明する。
図１は本発明の一実施の形態にかかる灯火システムおよびその定電流電源装置を示すブロック図である。
この灯火システムは、ＬＥＤ光源を用いた多数の灯火が直列接続されてなる負荷回路６、この負荷回路６に対して所望の輝度に応じた交流定電流を供給する定電流電源装置１０、およびこの定電流電源装置１０に対して電源供給する交流電源５から構成されている。
【００１２】
定電流電源装置１０は、スイッチング回路１、定電流制御回路２および共振回路３から構成されている。
スイッチング回路１は、定電流制御回路２の制御に基づいて、交流電源５からの交流入力をチョッピングし、さらにその電流波高値を制御することにより電流パルスを出力する回路である。
このスイッチング回路１には、交流入力を用いて基本波高値ＩBの電流パルスを生成する基本波形スイッチング部（以下、基本波形ＳＷという）１１、および基本波形ＳＷ１１と同極性および逆極性の交流入力を用いて、基本波高値と同極性または逆極性の差分波高値ΔＩの電流パルスを基本波高値ＩBの電流パルスと同期して生成する差分波形スイッチング部（以下、差分波形ＳＷという）１２とが設けられている。
【００１３】
定電流制御回路２は、負荷回路６に対して供給する電流値を示す所望の輝度値２０に応じて、スイッチング回路１の基本波形ＳＷ１１および差分波形ＳＷ１２を駆動制御する回路である。
この定電流制御回路２には、設定入力される所望の輝度値２０に応じて交流入力電流の各位相位置における設定波高値ＩSを発生させる設定波高値発生部２１、新たな波高値を生成するためのベースとなる基本波高値ＩBを記憶する記憶部２２、これら設定波高値ＩSと基準波高値ＩBとを比較する比較部２３、およびこの比較部２３からの比較結果すなわち差分波高値ΔＩに応じて基本波形ＳＷ１１および差分波形ＳＷ１２を駆動制御する駆動部２４が設けられている。
【００１４】
共振回路３は、スイッチング回路１と負荷回路６との間に接続され、交流電源５からの交流入力の周波数と略同一の共振周波数を有する回路である。この共振回路３には、図２に示すように、負荷回路６に対して直列に接続されるコイルＬ、および負荷回路６に対して並列に接続されるコンデンサＣが設けられている。
この共振回路３により、スイッチング回路１で変調された波形が滑らかな崩落線波形に整形され、負荷回路６へ出力される。
【００１５】
負荷回路６は、図３に示すように、直列接続された多数の灯火６１から構成されている。灯火６１には、光源として複数のＬＥＤが用いられている。ここでは、各ＬＥＤが正逆方向に並列接続されており、定電流電源装置から供給される交流電流の極性反転に応じて、その極性に対応する方向に接続された各ＬＥＤが交互に点灯／消灯する。なお、灯火６１におけるＬＥＤの接続方法についてこれに限定されるものもではなく、他の接続形態の灯火を用いてもよい。
交流電源５については、正弦波交流を出力するものでり、商用電源やインバータを用いればよい。また、基本波形ＳＷ１１や差分波形ＳＷ１２については、電源用の半導体高速スイッチング素子を用いた可変定電流回路を利用すればよい。
【００１６】
次に、図４を参照して、本実施の形態の動作について説明する。図４は、本実施の形態にかかるスイッチング回路１の動作を示す波形図である。
スイッチング回路１では、交流入力を所定のパルス幅でチョッピングして得られた波形の電流波高値を制御する際、基本波形に対して差分波形を増減することにより、所望の電流波高値を得ている。
基本波形ＳＷ１１は基本波高値ＩBの基本波形を出力する回路であり、差分波形ＳＷ１２は差分波高値ΔＩの差分波形を出力する回路である。
【００１７】
図４（ａ）に、基本波形と差分波形を示す電流波形を示す。ここでは、交流入力の正側区間（半周期）が８つのパルスＰ1〜Ｐ8にチョッピングされている。
定電流制御回路２の比較部２３では、各パルスＰ1〜Ｐ8の波高値のうちの差分波高値ΔＩを算出するため、設定波高値発生部２１からの設定波高値ＩSと記憶部２２に記憶されている基本波高値ＩBとを比較する。
ＩSは所望の負荷電流ＩLを得るために必要な各パルスＰ1〜Ｐ8の設定波高値であり、各灯火６１での所望の輝度値２０に応じて設定波高値発生部２１から出力される。実際には後述する各位相位置において正弦波に近似させた波高値が設定波高値ＩSとして出力される。
【００１８】
これにより、比較部２３の比較結果として差分波高値ΔＩが得られる。
駆動部２４では、記憶部２２に記憶されている基本波高値ＩBに基づきスイッチング回路１の基本波形ＳＷ１１を制御するとともに、比較部２３からの差分波高値ΔＩに基づき差分波形ＳＷ１２を制御する。
これに応じて、基本波形ＳＷ１１からは、図４（ａ）に示す基本波高値ＩBが出力されるとともに、差分波形ＳＷ１２からは波高値ΔＩが出力され、これらが合成されて、図４（ｂ）に示すような所望の設定波高値ＩSを有するパルスＰ1〜Ｐ8がスイッチング回路１から出力される。
【００１９】
これらパルスＰ1〜Ｐ8は、共振回路３で図４（ｃ）に示すような滑らかな崩落線波形の負荷電流ＩLに整形され、負荷回路６へ出力される。
なお、交流入力の負側区間については、上記正側区間と極性が逆となる以外については、上記と同様の動作が行われる。
【００２０】
したがって、輝度値２０に応じて、設定波高値ＩSを変化させることにより、各パルスＰ1〜Ｐ8の波高値を変化させることができ、従来のチョッピングのパルス幅を変化させるＰＷＭ制御に比較してその電流出力範囲が広くなり、微少な電流調整を行うことができる。
これにより、灯火の光源としてＬＥＤを用いた場合でも、その輝度を良好に調整できる。
【００２１】
次に、図５および図６を参照して、本実施の形態における電流波高値制御について詳細に説明する。図５は電流波高値制御の動作を示すフローチャートである。図６は電流波高値制御の動作例を示す波形図である。
各パルスＰ1〜Ｐ8では、その波形を所望の設定波高値ＩSに対して精度よく近似させるため、これらパルスＰ1〜Ｐ8を複数の区間に分割し、それぞれの区間で電流波高値制御を行っている。
以下では、各パルスＰ1〜Ｐ8を６つの区間Ｔ1〜Ｔ6に分割して制御する場合について説明するが、分割数については６に限定されるものではなく、他の分割数で分割して制御するようにしてもよい。
【００２２】
図５の電流波高値制御は、各パルスの位相位置ごとに実行される。
定電流制御回路２では、まず、処理対象として先頭の区間Ｔ1を選択する（ステップ１００）。そして、処理対象のパルスが先頭パルスＰ1で、かつ区間が先頭区間Ｔ1の場合にのみ（ステップ１０１：ＹＥＳ）、予め記憶部２２に登録しておいた基本波高値Ｉ0が基本波高値ＩBとして選択される（ステップ１０２）。このＩ0については、複数登録しておき、輝度値２０に応じてそのいずれかを選択してもよい。Ｉ0としては、例えば区間Ｔ1における設定波高値ＩS0よりその絶対値が小さくＩS0／２前後の値を選択することにより、次の区間Ｔ2における差分波高値ΔＩ2と同一極性となって区間Ｔ1，Ｔ2間で差分波形ＳＷ１２の出力極性が反転しなくなり、設定波高値ＩSへの追従特性がよくなる。
【００２３】
一方、処理対象のパルスが先頭パルスＰ1ではない場合、あるいは処理対象区間が先頭区間Ｔ1でない場合には（ステップ１０１：ＮＯ）、記憶部２２に格納されている直前区間の波高値が基本波高値ＩBとして選択される（ステップ１０３）。
また、設定波高値ＩSとして、対象パルスＰの区間Ｔにおける設定波高値ＩSTが設定波高値ＩSとして設定波高値発生部２１から選択される（ステップ１０４）。
そして、これら基本波高値ＩBと設定波高値ＩSとが比較部２３で比較され、その比較結果として差分波高値ΔＩ（＝ＩS−ＩB）が得られる（ステップ１０５）。
【００２４】
駆動部２４では、記憶部２２から読み出した基本波高値ＩBに基づき、スイッチング回路１の基本波形ＳＷ１１を制御する（ステップ１０６）。これにより、基本波形ＳＷ１１から基本波高値ＩB分の電流パルスが出力される。
これと並行して、比較部２３からの差分波高値ΔＩに基づき、スイッチング回路１の差分波形ＳＷ１２を制御する（ステップ１０７）。これにより、差分波形ＳＷ１２から差分波高値ΔＩ分の電流パルスが出力される。
そして、これらが合成されて所望の波高値ＩT（＝ＩB＋ΔＩ＝ＩS）を有するパルスＰがスイッチング回路１から出力される。
【００２５】
その後、このパルスＰの波高値ＩTを次の区間の基本波高値ＩBとして記憶部２２へ記憶し（ステップ１０８）、未処理の区間の有無を確認する（ステップ１０９）。
ここで、未処理の区間が残っている場合は（ステップ１０９：ＹＥＳ）、次の区間を処理対象として選択し（ステップ１１０）、上記ステップ１０３へ移行して、次の区間に対する電流波高値制御を実行する。
一方、未処理区間がなくすべての区間について処理が終了している場合は（ステップ１０９：ＮＯ）、当該パルスに関する電流波高値制御を終了する。
【００２６】
したがって、図６の例では、まず交流入力の正側区間で先頭パルスＰ1が選択されて、図５の電流波高値制御が開始される。
この電流波高値制御では、まずその先頭区間Ｔ1において、基本波高値ＩBとしてＩ0が選択されるとともに、設定波高値ＩSとしてＩS1が選択される。そして、その基本波高値Ｉ0分の電流パルスが基本波形ＳＷ１１から出力されるとともに、差分波高値ΔＩ1（＝ＩS1−Ｉ0）分の電流パルスが差分波形ＳＷ１２から出力され、これらが合成されて波高値Ｉ1（＝Ｉ0＋ΔＩ1＝ＩS1）の電流パルスが区間Ｔ1で出力される。
【００２７】
続く区間Ｔ2では、基本波高値ＩBとして直前波高値すなわち区間Ｔ1の波高値Ｉ1が選択されるとともに、設定波高値ＩSとしてＩS2が選択される。そして、その基本波高値Ｉ1分の電流パルスが基本波形ＳＷ１１から出力されるとともに、差分波高値ΔＩ2（＝ＩS1−Ｉ1）分の電流パルスが差分波形ＳＷ１２から出力され、これらが合成されて波高値Ｉ2（＝Ｉ1＋ΔＩ2＝ＩS2）の電流パルスが区間Ｔ2で出力される。
以降、同様にしてパルスＰ1の最後の区間Ｔ6まで繰り返し実行され、パルスＰ1として、所望の波高値ＩSに近似した電流パルスが出力される。
【００２８】
また、次のパルスＰ2でも同様にして電流波高値制御が実行される。このとき、その先頭区間Ｔ1では、基本波高値ＩBとして記憶部２２に記憶されている直前波高値、ここではパルスＰ1の最終区間Ｔ6における波高値Ｉ6が選択され、設定波高値ＩSとしてパルスＰ2における先頭区間Ｔ1のＩS1が選択される。そして、その基本波高値Ｉ6分の電流パルスが基本波形ＳＷ１１から出力されるとともに、差分波高値ΔＩ1（ＩS1−Ｉ6）分の電流パルスが差分波形ＳＷ１２から出力され、これらが合成されて波高値Ｉ1（＝Ｉ6＋ΔＩ1＝ＩS1）の電流パルスが区間Ｔ1で出力される。
【００２９】
このように、各パルスＰ内にそれぞれ複数の区間Ｔを設け、各区間ごとに電流波形制御を行うようにしたので、各パルスＰの波形を所望の交流波高値ＩSに精度よく近似させることができる。
したがって、歪みが少なく、力率および効率の良好な定電流電源装置を実現できる。
【００３０】
次に、図７を参照して、本発明の第２の実施の形態について説明する。
前述した第１の実施の形態では、スイッチング回路１に基本波形ＳＷ１１と差分波形ＳＷ１２を１つずつ設けた場合について説明したが、本実施の形態では、基本波形ＳＷ１１と差分波形ＳＷ１２の組を複数設け、これらを各パルスごとに切り替えて使用するようにしたものである。
【００３１】
図７において、スイッチング回路１には、基本波形ＳＷ１１Ａおよび差分波形ＳＷ１２Ａの組１Ａと、基本波形ＳＷ１１Ｂおよび差分波形ＳＷ１２Ｂの組１Ｂが並列的に接続されている。
定電流制御回路２の駆動部２４では、各パルスＰ1〜Ｐ8ごとにこれら組１Ａ，１Ｂを順に切り替えて所望のパルスを出力する。
これにより、基本波形ＳＷおよび差分波形ＳＷでの消費電力が分散されて、半導体高速スイッチング素子の寿命を延長でき、定電流電源装置さらには灯火システムの信頼性を向上できる。
【００３２】
なお、基本波形ＳＷ１１と差分波形ＳＷ１２の組については、２つに限定されるものではなく、３つ以上の組を設け順に切り替えて使用するようにしてもよい。
また、これら組の切替タイミングについては、パルスＰごとではなく１つのパルス内に設けられた区間Ｔごとに切り替えて使用するようにしてもよい。
【００３３】
以上の各実施の形態では、交流電源５から供給される交流入力をチョッピングするパルス幅について、所望の輝度制御範囲に応じて固定的なパルス幅を用いてもよく、あるいは輝度制御に応じて異なるパルス幅を選択して用いてもよい。
また、負荷電流を大きく変化させる必要がある比較的輝度の大きい範囲では、パルス幅制御（ＰＷＭ）による輝度調整を行い、負荷電流を細かく変化させる必要がある比較的輝度の小さい範囲では、波高値制御による輝度調整を行うようにしてもよい。これにより、さらに広範囲にわたって定電流制御を行うことができる。
【００３４】
また以上では、灯火システムおよび定電流電源装置として、飛行場で用いられる灯火システムおよび定電流電源装置を例として説明したが、これに限定されるものではない。例えば、高速道路、駐車場、トンネル、架橋、高層ビルなどの大規模建築物、あるいは公園などの大規模公共施設には、業務維持や安全管理のために広範囲にわたって灯火や照明器具が多数配置されている。したがって、これら灯火や照明機器を一定の輝度／光度で点灯させる場合にも本発明の灯火システムおよび定電流電源装置を適用でき、同様の作用効果が得られる。
【００３５】
【発明の効果】
以上説明したように、本発明は、定電流電源装置に、交流電源からの交流入力を用いて任意の波高値を有する電流パルスをその交流入力の半周期の期間で複数出力するスイッチング回路を設け、所望の輝度値に応じた交流定電流を生成するのに必要な波高値の電流パルスを交流入力の各位相位置ごとに出力するようスイッチング回路を制御するようにしたので、所望の輝度値に応じて電流パルスの波高値を変化させることができ、従来のチョッピングのパルス幅を変化させるＰＷＭ制御に比較してその電流出力範囲が広くなり、微少な電流調整を行うことができる。また、灯火の光源としてはＬＥＤに限定されるものではなくＨＩＤランプなどを用いた場合でも、その輝度を良好に調整できる。
【図面の簡単な説明】
【図１】  本発明の第１の実施の形態にかかる定電流電源装置を示すブロック図である。
【図２】  共振回路の具体例である。
【図３】  負荷回路（灯火）の具体例である。
【図４】  本実施の形態にかかるスイッチング回路の動作を示す波形図である。
【図５】  電流波高値制御の動作を示すフローチャートである。
【図６】  電流波高値制御の動作例を示す波形図である。
【図７】  本発明の第２の実施の形態にかかる定電流電源装置を示すブロック図である。
【図８】  従来の定電流電源装置の動作を示す波形図である。
【符号の説明】
１０…定電流電源装置、１…スイッチング回路、１１，１１Ａ，１１Ｂ…基本波形スイッチング部（基本波形ＳＷ）、１２，１２Ａ，１２Ｂ…差分波形スイッチング部（差分波形ＳＷ）、２…定電流制御回路、２０…輝度値、２１…設定波高値発生部、２２…記憶部、２３…比較部、２４…駆動部、３…共振回路、５…交流電源、６…負荷回路、６１…灯火、６２…ＬＥＤ、ＩL…負荷電流、ＩS…設定波高値、ＩB…基本波高値、ΔＩ…差分波高値。
【図１】
0004800519.tif 000002
【図２】
0004800519.tif 000003
【図３】
0004800519.tif 000004
【図４】
0004800519.tif 000005
【図５】
0004800519.tif 000006
【図６】
0004800519.tif 000007
【図７】
0004800519.tif 000008
【図８】
0004800519.tif 000009